(57)【要約】      （修正有）【課題】持ち運びにより移動可能であり、商用電源の供給が無い状況下においても照明する移動型無給電照明装置を提供する。【解決手段】照明装置は、照明部１と、電源部２と、支持部３とで構成される。照明部１は、照明をオン／オフするスイッチ８と、複数のＬＥＤと駆動回路により構成される発光部９とが外装となる照明部本体１１内に収容されている。さらに、照明部本体１１には、発光部９より発光された照明光を効率よく照射するための椀形状の反射板と、投光窓１２と、が設けられている。電源部２は、充電により蓄電可能な蓄電池（バッテリー）と、蓄電池から出力された電源の出力形態を変換、例えば、直流電圧を任意周期の交流電圧に変換する変換部（例えば、インバータ）と、で構成され、これらは持ち運び可能な箱（バッテリーエコライトボックス）１５に収容される。【選択図】図１
0003169919.tif 000002
【実用新案登録請求の範囲】
【請求項１】
照明光を照射するＬＥＤランプを備える照明部と、
前記照明部に照明用電源を供給するための蓄電池及び、該蓄電池が出力した前記照明用電源を所望する出力形態に変換する変換部を含む電源部と、
少なくとも前記電源部を収納し、持ち運び可能な箱と、
前記照明部を着脱可能に支持し、前記照明光の照射方向と前記照明部の高さ位置が調整可能な支持部と、
を具備することを特徴とする移動型無給電照明装置。
【請求項２】
前記電源部は、さらに、
供給された商用電源を分岐し、一方を変換して前記蓄電池を充電し、他方を前記照明部の照明用電源として出力する電源ユニットと、
前記商用電源の供給を受けた際に、前記電源ユニットが出力した商用電源を照明用電源として前記照明部に供給し、前記商用電源の供給が停止した際に、該商用電源を前記蓄電池が出力する照明用電源に切り換えて、前記照明部に出力する停電検出切換部と、
を具備することを特徴とする請求項１に記載の移動型無給電照明装置。
【考案の詳細な説明】
【技術分野】
【０００１】
本考案は、携帯して移動可能であり、商用電源の供給が無い状況下においても照明する移動型無給電照明装置に関する。
【背景技術】
【０００２】
一般に、屋外や室内の照明装置に用いられる高輝度ランプとしては、ハロゲンランプ、キセノンランプ又は高輝度放電ランプ等の種々のランプが用いられている。近年、照明用ランプとして、特許文献１に開示されているようなＬＥＤ(light emitting diode）ランプを用いて、商用電源（５０Ｈｚ又は６０Ｈｚの１００Ｖ又は２００Ｖ）を電源供給して高輝度発光するＬＥＤ照明装置が実用化されている。
【先行技術文献】
【特許文献】
【０００３】
【特許文献１】特開２００３−０５９３３５号公報
【考案の概要】
【考案が解決しようとする課題】
【０００４】
従来の高輝度ランプは、消費電力が多く且つ発熱量も大きい。しかし、照明を必要とする場所に必ずしも商用電源が供給されるわけではなく、特に屋外において、照明する場合には、一般的な小型バッテリーでは、点灯時間が短く、別途、燃料により駆動する小型の発電機等を用いることとなる。
【０００５】
しかし、発電機等を用いる場合に機材が大掛かりとなり、搬送及び設置が容易ではない。特に、日没後に屋外における静寂さが望まれる式典や行事において、照明を行おうとすると、発電機が発する駆動音が騒音となっている。また、特許文献１で開示されるＬＥＤ照明装置の構成においても、使用する時には商用電源を接続して、電源供給する必要がある。
【課題を解決するための手段】
【０００６】
本考案は、照明光を照射するＬＥＤランプを備える照明部と、前記照明部に有線接続し、照明用電源を供給するための蓄電池及び、該蓄電池が出力した前記照明用電源を所望する出力形態に変換する変換部を含む電源部と、少なくとも前記電源部を収納し、持ち運び可能な箱と、前記照明部を着脱可能に支持し、前記照明光の照射方向と前記照明部の高さ位置が調整可能な支持部と、を具備する移動型無給電照明装置を提供する。
【考案の効果】
【０００７】
本考案によれば、携帯して移動可能であり、商用電源の供給が無い状況下においても照明することができる移動型無給電照明装置を提供することができる。
【図面の簡単な説明】
【０００８】
【図１】本実用新案登録に係る移動型無給電照明装置の外観構成を示す図である。
【図２】本考案の第１の実施形態の係る移動型無給電照明装置の概念的な構成例を示す図である。
【図３】本考案の第２の実施形態の係る移動型無給電照明装置の概念的な構成例を示す図である。
【考案を実施するための形態】
【０００９】
以下、図面を参照して本考案の実施形態について詳細に説明する。                  
図１は、本考案に係る移動型無給電照明装置の外観構成を示す図である。図２は、第１の実施形態としての移動型無給電照明装置の構成を示すブロック図である。この照明装置は、照明部１と、電源部２と、支持部３とで構成される。
【００１０】
照明部１は、照明をオン／オフするスイッチ８と、複数のＬＥＤと駆動回路により構成される発光部９とが外装となる照明部本体１１内に収容されている。さらに、照明部本体１１には、発光部９より発光された照明光を効率よく照射するための椀形状の反射板１３と、照明光を透光し且つ防塵及び防水の機能を有するように設けられたガラス等からなる投光窓１２と、が設けられている。スイッチ８は、照明部本体１１に設けているが、他にも、ケーブル７の途中に設けてもよい。照明部本体１１は、金属又は樹脂にて形成される。
【００１１】
本実施形態において、発光部９は、例えば、２２Ｗ又は１６ＷのＬＥＤランプを想定する。発光部９は、照明する対象物によって、適宜、好適する明るさのＬＥＤランプを選択すればよい。尚、発光により発光部９が高温化する場合には、照明部本体１１における発光部９の近傍の外装に、複数の冷却用スリット１４を開口してもよい。これらのスリット以外では、冷却ファンを用いる手法を用いてもよい。
【００１２】
また、照明部１を床等への設置と、支持部３と連結する機能を備える脚部１６が設けられている。尚、この脚部１６は、照明部本体１１の両側面にねじにより固定するように取り付けられている。これらのねじを緩めれば、ねじを中心として照明部本体１１を回動させることができ、照明光の照射方向が上下方向においては自由に変えることができる。
【００１３】
電源部２は、充電により蓄電可能な蓄電池（バッテリー）４と、蓄電池４から出力された電源の出力形態を変換、例えば、直流電圧を任意周期の交流電圧に変換する変換部（例えば、インバータ）５と、で構成され、これらは持ち運び可能な箱（バッテリーエコライトボックス）１５に収容される。変換部５は、インバータだけではなく、安定化回路やノイズ除去回路等を含んでもよい。
【００１４】
蓄電池４は、一般的に公知な充電式電池（二次電池）であり、例えば、鉛蓄電池、リチウムイオン二次電池又は、ニッケル・水素蓄電池等の種々のタイプを照明対象物や照明目的によって選択する。本実施形態では、蓄電池４を充電するための充電ユニット１０は、コネクタ接続又は、クリップ接続により着脱自在であり、充電の際にその都度、接続される。充電ユニット１０の電源は、商用電源以外、例えば、自動車のシガーソケット等から取れる構成であってもよい。
【００１５】
本実施形態の蓄電池４は、一度の充電により、２２Ｗ消費のＬＥＤランプ１灯の照明部１であれば、１５時間程度の連続点灯が可能であり、１６Ｗ消費のＬＥＤランプ２灯の照明部１であれば、８時間程度の連続点灯が可能であるように設計されている。
【００１６】
箱１５は、例えば、ジュラルミン製ボックスやアルミニウム製ボックスのように、軽量且つ耐久性に優れたものが使用される。箱１５の例えば、側面には、変換部５の出力端に配線接続される出力端子（コネクタ受け）６が設けられている。この出力端子６には、照明部本体１１の入力ケーブル７の端に設けられたプラグ又はコネクタ（図示せず）が着脱可能に接続される。例えば、この出力端子６が複数のプラグが差し込み接続できるようなタイプであれば、１台の電源部２において、連続点灯時間は短くなるが複数の照明装置を同時に又は、必要な照明装置のみを選択的に点灯することができる。
【００１７】
本実施形態の箱１５は、上蓋が開閉するタイプのボックスであるが、これに限定されるものではない。また、本実施形態では、箱１５に電源部２のみを収容する構成であるが、さらに照明部１及びケーブル７を収容可能な構成であってもよい。
【００１８】
支持部３は、本実施形態では、自立可能で１ｍ以下から３ｍ程度まで延伸して、照明部１を任意の高さ位置に固定する三脚を例としている。三脚の延伸する長さは三脚を選択することで任意に得ることができる。他にも、壁や柱等に設けられたフックに引っ掛ける又は吊り下げるように取り付けるための掛着器具であってもよい。照明部１の脚部１６は、支持部３の上面に設けられた天板に、ねじやストッパ等の公知な係止部材により着脱可能に取り付けられている。
【００１９】
以上説明したように、本考案の移動型無給電照明装置は、商用電源による電源供給が受けられない状況下、例えば停電時、又は屋外などで、一度の充電により長時間にわたり、明るく照明することができる。また、発電機を伴わないため、駆動による騒音がなく、静寂さが必要な状況下において有用である。この照明装置は、小型軽量であるため、持ち運びによる移動が容易であり、且つ簡素な構成であるため、照明を開始するまでの設置準備及び片付けが短い時間で済む。
【００２０】
次に、第２の実施形態について説明する。  
本実施形態は、屋内などの商用電源による電源供給が可能な状況下において、その電源供給を受けながら照明を行い、且つ蓄電池に対して充電を行い、停電時には、蓄電池による照明に瞬時に切り替えて、照明を継続させる移動型無給電照明装置である。
【００２１】
図３は、第２の実施形態における移動型無給電照明装置の構成を示すブロック図である。  
この照明装置は、照明部１と、電源部２１と、支持部３とで構成される。本実施形態において、照明部１と支持部３は、前述した第１の実施形態と同等であり、同じ参照符号を付して、その詳細な説明は省略する。  
本実施形態の電源部２１は、電源ユニット２２と、蓄電池４と、変換部５と、停電検出切換部２３と、で構成される。電源部２１は、前述した箱１５と同様な持ち運びできる箱２４に収納される。
【００２２】
電源ユニット２２は、商用電源から電源供給を受けて分岐し、一方を直流電圧に変換（コンバータ）して蓄電池４を充電し、他方を交流電圧のまま停電検出切換部２３に出力する。停電検出切換部２３は、例えば、リレースイッチにより構成され、電源ユニット２２から商用電源が印加されている場合には、オンして、その交流電圧をスルーして照明部１に供給する。一方、商用電源の印加が停止（停電又は電源ユニット２２の電源スイッチオフ）された場合には、オフして切り替えられ、蓄電池４からインバータ５を通じて出力された交流電圧が照明部１に供給される。また、停電等が解消され、商用電源が再供給された場合においても、商用電源のコンセントにプラグが差し込まれた状態であれば、蓄電池４から商用電源に自動的に切り換えられる。
【００２３】
以上の構成により、前述した第１の実施形態の効果に加えて、さらに商用電源が停電となった場合、又は商用電源のコンセントから電源部２のプラグが抜け外れたアクシデントにより供給が停止した場合には、停電検出切換部２３により何らの人的な操作不要で瞬時に蓄電池４に切り換えられて、照明光の照射が継続される。蓄電池４は、商用電源が供給されている間は、常に充電されているため、蓄電池４の使用後に、別途、作業者による充電作業を行わなくとも充電が行われ、充電忘れなどによる充電不足になることがない。また、蓄電池４で照明を行っていた際に、商用電源の再供給が開始されるとともに、切り換えられて蓄電池４に充電が開始されるため、事故等で商用電源の供給停止が幾度も繰り返された場合においても、長時間にわたり照明することを維持できる。
【００２４】
尚、本実施形態では、電源部２１を照明装置に適用した例について説明してが、照明装置に限定されるものではなく、電源部２１は、商用周波数の交流電源を用いている他の一般的な家電製品、例えば、扇風機、冷蔵庫、テレビジョン、ビデオシステム等に対しても容易に適用することができる。
【符号の説明】
【００２５】
１…照明部、２，２１…電源部、３…支持部、４…蓄電池（バッテリー）、５…インバータ、６…出力端子（コネクタ受け）、７…ケーブル、８…スイッチ、９…発光部、１０…充電ユニット、１１…照明部本体、１２…投光窓、１３…反射板、１４…冷却用スリット、１５，２１…箱（バッテリーエコライトボックス）、１６…脚部、２２…電源ユニット、２３…停電検出切換部。
【図１】
0003169919.tif 000003
【図２】
0003169919.tif 000004
【図３】
0003169919.tif 000005